(57)【要約】【課題】  本発明はＵＳＢメモリとしての使用は勿論、ＩＣレコーダとしての使用もでき、かつＵＳＢメモリ本体のシステム制御部を共用して、小型コンパクトで、かつ安価なＵＳＢメモリを得るにある。【解決手段】  ＵＳＢ端子が設けられたＵＳＢメモリ本体と、このＵＳＢメモリ本体に取付けられた、該ＵＳＢメモリ本体のシステム制御部を共用するＩＣレコーダと、このＩＣレコーダおよび前記ＵＳＢ端子を除くＵＳＢメモリ本体を覆うケース体と、このケース体に設けられた前記ＩＣレコーダをＯＮ、ＯＦＦするスイッチとでＵＳＢメモリを構成している。【選択図】  図６
2009146318.tif 000002
【特許請求の範囲】
【請求項１】
ＵＳＢ端子が設けられたＵＳＢメモリ本体と、このＵＳＢメモリ本体に取付けられた、該ＵＳＢメモリ本体のシステム制御部を共用するＩＣレコーダと、このＩＣレコーダおよび前記ＵＳＢ端子を除くＵＳＢメモリ本体を覆うケース体と、このケース体に設けられた前記ＩＣレコーダをＯＮ、ＯＦＦするスイッチとからなることを特徴とするＵＳＢメモリ。
【請求項２】
ＩＣレコーダはＵＳＢメモリ本体のシステム制御部に接続されたフラッシュメモリ、マイクロホン、録音状態を示すランプおよび前記ＵＳＢ端子間に介装された充電保護回路、バッテリーとで構成されていることを特徴とする請求項1記載のＵＳＢメモリ。
【発明の詳細な説明】
【技術分野】
【０００１】
本発明はＵＳＢメモリに関する。
【背景技術】
【０００２】
従来のＵＳＢメモリはパソコンのデータの記憶装置として使用されている。
このため、それ以外の利用はできず、十分に利用できないという欠点があった。
【特許文献１】特開２００６−３０１７８９
【発明の開示】
【発明が解決しようとする課題】
【０００３】
本発明は以上のような従来の欠点に鑑み、ＵＳＢメモリとしての使用は勿論、ＩＣレコーダとしての使用もでき、かつＵＳＢメモリ本体のシステム制御部を共用して、小型コンパクトで、かつ安価なＵＳＢメモリを提供することを目的としている。
【０００４】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】
上記目的を達成するために、本発明はＵＳＢ端子が設けられたＵＳＢメモリ本体と、このＵＳＢメモリ本体に取付けられた、該ＵＳＢメモリ本体のシステム制御部を共用するＩＣレコーダと、このＩＣレコーダおよび前記ＵＳＢ端子を除くＵＳＢメモリ本体を覆うケース体と、このケース体に設けられた前記ＩＣレコーダをＯＮ、ＯＦＦするスイッチとでＵＳＢメモリを構成している。
【発明の効果】
【０００６】
以上の説明から明らかなように、本発明にあっては次に列挙する効果が得られる。
【０００７】
（１）ＵＳＢ端子が設けられたＵＳＢメモリ本体と、このＵＳＢメモリ本体に取付けられた、該ＵＳＢメモリ本体のシステム制御部を共用するＩＣレコーダと、このＩＣレコーダおよび前記ＵＳＢ端子を除くＵＳＢメモリ本体を覆うケース体と、このケース体に設けられた前記ＩＣレコーダをＯＮ、ＯＦＦするスイッチとで構成されているので、ＵＳＢメモリとしての使用は勿論のこと、ＩＣレコーダとして使用することができる。
したがって、効率よく利用することができる。
【０００８】
（２）前記（１）によって、ＵＳＢメモリ本体のシステム制御部をＩＣレコーダと共用しているので、小型、コンパクトで、安価に製造することができる。
【０００９】
（３）前記（１）によって、ＩＣレコーダの録音時にはＵＳＢメモリとして使用することがないので、ＩＣレコーダとしての使用と、ＵＳＢメモリとしての使用が重なることなく、効率よく使用することができる。
【００１０】
（４）請求項２も前記（１）〜（３）と同様な効果が得られる。
【発明を実施するための最良の形態】
【００１１】
以下、図面に示す本発明を実施するための最良の形態により、本発明を詳細に説明する。
【００１２】
図１ないし図８に示す本発明を実施するための最良の第１の形態において、１はＵＳＢメモリとしての使用とＩＣレコーダとしての使用ができる本発明のＵＳＢメモリで、このＵＳＢメモリ1はＵＳＢ端子２が一端部に設けられたＵＳＢメモリ本体３と、このＵＳＢメモリ本体３に取付けられた、該ＵＳＢメモリ本体３のシステム制御部４を共用するＩＣレコーダ５と、このＩＣレコーダ５および前記ＵＳＢ端子２部を除くＵＳＢメモリ本体３を覆う左右のケース体６ａ、６ｂを嵌合固定できるケース体６と、このケース体６に設けられた前記ＩＣレコーダ５をＯＮ、ＯＦＦするスイッチ７と、前記ケース体６に形成された録音状態時に点灯するランプ用透孔８と、前記ＵＳＢ端子２を覆う前記ケース体６の嵌合片６ｃと着脱可能に嵌合するキャップ９とで構成されている。
【００１３】
前記ＵＳＢメモリ１およびＩＣレコーダ５は図４ないし図６に示すように基板１０と、この基板１０の先端部に取付けられたＵＳＢ端子２と、前記基板１０に設けられた前記ＵＳＢ端子２と接続されたシステム制御部４と、このシステム制御部４に接続するように前記基板１０に設けられたデータ交換器１１およびフラッシュメモリ等の記憶媒体１２と、前記ＵＳＢ端子２と前記システム制御部４との間に介装された充電状態を示すランプ１３に接続された充電保護回路１４およびバッテリー１５と、前記ケース体６のランプ用透孔８部位に位置するように設けられたマイクロホン１６および録音状態を示すランプ１７と、前記ケース体６の側面ほぼ中央部に前記基板１０に設けられたスイッチ７をＯＮ、ＯＦＦさせるスライド釦１８とで構成されている。
【００１４】
上記構成のＵＳＢメモリ１は図７に示すように、パソコン（ＰＣ）１９のメス型ＵＳＢ端子２０にＵＳＢ端子２を接続することにより、従来のＵＳＢメモリと同様に使用することができる。
【００１５】
また、ＵＳＢメモリ１をＩＣレコーダ５として使用する場合、録音するにはパソコン１９のメス型ＵＳＢ端子２０より外した状態でスイッチ７をＯＮ状態にすることにより、録音状態を示すランプ１７が点灯するとともに、マイクロホン１６で拾った音声はシステム制御部４を介して記憶媒体１２に記憶される。
録音の停止はスイッチ７をＯＦＦすることで停止する。
録音の再生はＵＳＢメモリ１をパソコン１９のメス型ＵＳＢ端子２０にＵＳＢ端子２を接続し、パソコン１９で再生する。
なお、ＵＳＢメモリ１での録音はパソコン１９のメス型ＵＳＢ端子２０にＵＳＢ端子２を接続した状態でも、スイッチ７をＯＮ状態にすることにより行なうこともできる。
【産業上の利用可能性】
【００１６】
本発明はＵＳＢメモリやＩＣレコーダを製造する産業で利用される。
【図面の簡単な説明】
【００１７】
【図１】本発明を実施するための最良の第１の形態の平面図。
【図２】本発明を実施するための最良の第１の形態の正面図。
【図３】本発明を実施するための最良の第１の形態のキャップを外した状態の平面図。
【図４】本発明を実施するための最良の第１の形態のケース体を外した状態の平面図。
【図５】本発明を実施するための最良の第１の形態のケース体を外した状態の底面図。
【図６】本発明を実施するための最良の第１の形態のブロック図。
【図７】本発明を実施するための最良の第１の形態のパソコンに取付けた状態の説明図。
【図８】本発明を実施するための最良の第１の形態の録音状態の説明図。
【符号の説明】
【００１８】
１：ＵＳＢメモリ、            ２：ＵＳＢ端子、
３：ＵＳＢメモリ本体、        ４：システム制御部、
５：ＩＣレコーダ、            ６ａ：左のケース体、
６ｂ：右のケース体、          ６：ケース体、
７：スイッチ、                ８：ランプ用透孔、
９：キャップ、                １０：基板、
１１：データ交換器、          １２：記憶媒体、
１３：充電状態を示すランプ、  １４：充電保護回路、
１５：バッテリー、            １６：マイクロホン、
１７：録音状態を示すランプ、  １８：スライド釦、
１９：パソコン、              ２０：メス型ＵＳＢ端子。
【図１】
2009146318.tif 000003
【図２】
2009146318.tif 000004
【図３】
2009146318.tif 000005
【図４】
2009146318.tif 000006
【図５】
2009146318.tif 000007
【図６】
2009146318.tif 000008
【図７】
2009146318.tif 000009
【図８】
2009146318.tif 000010